(57)【要約】【課題】シャープペンシルに設けられるための繰り出し可能な消しゴム保持装置において、消しゴム保持装置の全長が長くならず、しかも、消しゴム２の残量が少ないシャープペンシルの消しゴム保持装置に適用できる。【解決手段】筒状の消しゴムケース３の端から伸びた摺動溝３Ｄを互いに対向させて形成する。この摺動溝３Ｄに係合部３Ｅを形成し、かつ、押部材１に受部１Ａより一方の長手方向に伸び互いに対向する長片１Ｃと、受部１Ａより他方の長手方向に伸び互いに対向する短片１Ｄを形成する。前記押部材１の長片１Ｃあるいは短片１Ｄのいずれかに消しゴム２を設ける。更に、消しゴム２を設けた片を前記消しゴムケース３の摺動溝３Ｄに挿入し、消しゴムケース３の係合部３Ｅに押部材１の係合部を係合させて構成する。【選択図】図１
2012011620.tif 000002
【特許請求の範囲】
【請求項１】
シャープペンシルに設けられる繰り出し可能な消しゴム保持装置であって、筒状の消しゴムケースの端から伸びた摺動溝を複数形成するとともに、この摺動溝に係合部を形成し、かつ、押部材に受部より長手方向の一方に伸びた複数の長片を前記摺動溝と合致する位置に形成し、受部の前記長片から延長されて長手方向の他方に伸びた複数の短片を形成し、前記長片と短片の側部に係合部を形成し、かつ、前記消しゴムケースの係合部と押部材の係合部の少なくともどちらか一方の係合部を長手方向等間隔に複数形成し、更に、押部材の長片あるいは短片のいずれかに消しゴムを設け、消しゴムを設けた片を前記消しゴムケースの摺動溝に挿入し、消しゴムケースの係合部に押部材の係合部を係合させて構成したことを特徴とするシャープペンシルの消しゴム保持装置。
【発明の詳細な説明】
【技術分野】
【０００１】
本発明は、シャープペンシルに設けられるための繰り出し可能な消しゴム保持装置に係り、詳しくは、消しゴムを保持する押部材を消しゴムケースに移動可能に取り付けたシャープペンシルの消しゴム保持装置に関する。
【背景技術】
【０００２】
従来、筒体の下方に押込によって上昇する押出体を挿入すると共に同筒体の上方に上記の押出体により押し出される短柱状消しゴムを上下動可能且つ抜脱不能に嵌合して構成した消しゴム装置が知られている。（特許文献１参照）
【０００３】
しかしながら、上記消しゴム装置は、筒体内に押出体が挿入されるために、消しゴム装置の全長が長くなってしまうものであった。また、消しゴムが上下動可能且つ抜脱不能に嵌合する構成は技術的にむずかしく消しゴムが外れてしまう恐れがあった。
【先行技術文献】
【特許文献】
【０００４】
【特許文献１】実開昭５５−１１８７８７号公報
【発明の概要】
【発明が解決しようとする課題】
【０００５】
解決しようとする問題点は、繰り出し可能な消しゴム保持装置の全長が長くなってしまう点と、消しゴムの残量が多くなってしまう点である。
【課題を解決するための手段】
【０００６】
本発明は、シャープペンシルに設けられる繰り出し可能な消しゴム保持装置であって、筒状の消しゴムケースの端から伸びた摺動溝を複数形成するとともに、この摺動溝に係合部を形成し、かつ、押部材に受部より長手方向の一方に伸びた複数の長片を前記摺動溝と合致する位置に形成し、受部の前記長片から延長されて長手方向の他方に伸びた複数の短片を形成し、前記長片と短片の側部に係合部を形成し、かつ、前記消しゴムケースの係合部と押部材の係合部の少なくともどちらか一方の係合部を長手方向等間隔に複数形成し、更に、押部材の長片あるいは短片のいずれかに消しゴムを設け、消しゴムを設けた片を前記消しゴムケースの摺動溝に挿入し、消しゴムケースの係合部に押部材の係合部を係合させて構成したことを最も主要な特徴とする。
【発明の効果】
【０００７】
本発明は、シャープペンシルに設けられるための繰り出し可能な消しゴム保持装置において、消しゴム保持装置の全長が長くならず、しかも、消しゴムの残量が少ない利点が得られるものである。
【図面の簡単な説明】
【０００８】
【図１】図１は、本発明の実施例１の消しゴム保持装置における押部材の長片で消しゴムを保持した状態を示す正面図である。（実施例１）
【図２】図２は、図１のＡ−Ａ線を示す断面図である。（実施例１）
【図３】図３は、本発明の実施例１の消しゴム保持装置をシャープペンシルに設けた状態を示す主要部断面図である。（実施例１）
【図４】図４は、本発明の実施例１の消しゴム保持装置における押部材の長片で消しゴムを保持して後方に移動した状態を示す正面図である。（実施例１）
【図５】図５は、図４のＡ−Ａ線を示す断面図である。（実施例１）
【図６】図６は、本発明の実施例１の消しゴム保持装置における押部材の短片で消しゴムを保持した状態を示す断面図である。（実施例１）
【図７】図７は、本発明の実施例１の消しゴム保持装置における押部材の短片で消しゴムを保持して後方に移動した状態を示す断面図である。（実施例１）
【図８】図８は、本発明の実施例２の消しゴム保持装置を示す正面図である。（実施例２）
【図９】図９は、本発明の実施例３の消しゴム保持装置を示す正面図である。（実施例３）
【発明を実施するための形態】
【０００９】
全長が長くならず、かつ、外径が太くならない繰り出し可能な消しゴム保持装置を実現した。
【実施例１】
【００１０】
以下、図１、図２、図３、図４、図５、図６及び図７に基づいて本発明における実施例１のシャープペンシルの消しゴム保持装置を説明する。また、図１の左側を前方とし、右側を後方とする。先ず、合成樹脂製の押部材１について説明する。円板状の受部１Ａに貫通した孔１Ｂを形成するとともに、受部１Ａの両側面より隆起しかつ長手方向後方に伸びた長片１Ｃを互いに対向して形成する。また、受部１Ａの長片１Ｃから延長されて連続的に長手方向前方に伸びた短片１Ｄを互いに対向して形成する。この短片１Ｄは長片１Ｃより長手寸法が半分以下の短寸に形成する。更に、短片１Ｄ及び長片１Ｃの先端部内面に係止突起１Ｅを形成するとともに、短片１Ｄ及び長片１Ｃの両側部には長手方向等間隔に係合凹部１Ｆを複数形成し、押部材１を形成する。
【００１１】
この押部材１の長片１Ｃに消しゴム２を設け、消しゴム２の底面が押部材１の受部１Ａに当接するとともに長片１Ｃにより消しゴム２を保持する。
【００１２】
次に、消しゴムケース３には、前記押部材１の短片１Ｄ及び長片１Ｃの外周径と略同径の筒部３Ａを形成し、この筒部３Ａ後端に外鍔３Ｂを形成する。この外鍔３Ｂの前端に複数の切欠部３Ｃを形成する。更に、消しゴムケース３の前端から長手方向後方に伸びた摺動溝３Ｄを互いに対向して２つ形成する。この摺動溝３Ｄの両側に前記押部材１の係合凹部１Ｆと合致する形状の係合部３Ｅを長手方向等間隔に複数形成する。また、前記摺動溝３Ｄの長手寸法は、前記押部材１の短片１Ｄと長片１Ｃを合わせた長手寸法より短く構成される。
【００１３】
この消しゴムケース３の摺動溝３Ｄに押部材１の長片１Ｃを挿入し、長片１Ｃに形成した係合凹部１Ｆが消しゴムケース３の係合部３Ｅに係合され、消しゴムケース３に押部材１が取り付けられる。また、押部材１の長片１Ｃに保持された消しゴム２の先端を消しゴムケース３の後端より適宜突出させ、図１及び図２に示した消しゴム保持装置を構成する。
【００１４】
上記消しゴム保持装置は、図３に示したように、シャープペンシルにおけるノック部材４の後端部に設けられる。つまり、消しゴムケース３及び押部材１がノック部材４の後部に着脱可能に嵌合される。この時、押部材１の長片１Ｃはノック部材４の内面４Ａに押され、長片１Ｃの先端部内面に形成された係止突起１Ｅが消しゴム２の表面に食い込み、消しゴム２を強く保持する。また、消しゴムケース３の筒部３Ａもノック部材４の内面４Ａによって内方に押され、消しゴムケース３の摺動溝３Ｄに形成された係合部３Ｅに押部材１の係合凹部１Ｆが確実に係合されて、押部材１が長手方向に移動する恐れはない。更に、ノック部材４の後端に消しゴムケース３の外鍔３Ｂが当接されるが、消しゴムケース３の外鍔３Ｂに切欠部３Ｃが形成されているので、ノック部材４の後端と消しゴムケース３の外鍔３Ｂとの間には隙間が構成され、ノック部材４より消しゴム保持装置を外し易い構成になっている。更に、ノック部材４には消しゴム２を覆うためのノブ５が着脱可能に嵌合される。
【００１５】
このシャープペンシルで消しゴム２を使用する場合には、ノブ５を外して使用するが、消しゴム２が消耗した場合には、消しゴム保持装置をノック部材４より外し、消しゴムケース３に対して押部材１を後方に押し込むことによって消しゴム２が消しゴムケース３の外鍔３Ｂの後端から突出する。そして、図４及び図５に示したように、消しゴム２が使えない程度に消耗した場合には、消しゴムケース３より押部材１を外し、押部材１の長片１Ｃに保持されている消しゴム２を取り出す。次に、取り出した消しゴム２を押部材１の短片１Ｄに設け、消しゴム２の底面が押部材１の受部１Ａに当接するとともに短片１Ｄにより消しゴム２を保持する。
【００１６】
この押部材１の短片１Ｄを消しゴムケース３の摺動溝３Ｄに挿入し、短片１Ｄに形成した係合凹部１Ｆが消しゴムケース３の係合部３Ｅに係合され、消しゴムケース３に押部材１が取り付けられる。また、押部材１の短片１Ｄに保持された消しゴム２の先端を消しゴムケース３の後端より適宜突出させ、図６に示した消しゴム保持装置を構成する。
【００１７】
そして、消しゴム２が消耗した場合には、ノック部材４から消しゴム保持装置を外し、押部材１を後方に押し込むことによって消しゴム２が突出する。そして、消しゴム２が消耗すると図７に示した状態となり、この状態の消しゴム２が残量となる。
【００１８】
したがって、消しゴム２の使用量が多くできるとともに、残量は非常に少なくなる。しかも、押部材１が消しゴムケース３の内側に入っていないので消しゴム２が太くでき、消しゴム２の使用量が格段に多くなるものである。また、押部材１の一部は常に消しゴムケース３の前端より突出しているので、押部材１を後方に押し込む操作が簡単に行うことができる。
【実施例２】
【００１９】
以下、図８に基づいて本発明における実施例２のシャープペンシルの消しゴム保持装置を説明する。尚、図１と同一の部材は同一の符号を付してその説明を省略する。消しゴムケース１３には、押部材１の短片１Ｄ及び長片１Ｃの外周径と略同径の筒部１３Ａを形成し、この筒部１３Ａ後端に外鍔１３Ｂを形成する。この外鍔１３Ｂの前端に複数の切欠部１３Ｃを形成する。更に、消しゴムケース１３の前端から長手方向後方に伸びた摺動溝１３Ｄを互いに対向して２つ形成する。この摺動溝１３Ｄの両側前部に係合部１３Ｅを形成する。
【００２０】
次に、前記消しゴムケース１３に押部材１の長片１Ｃを挿入し、長片１Ｃに形成した係合凹部１Ｆを消しゴムケース１３の係合部１３Ｅに係合し、消しゴムケース１３に押部材１が取り付けられる。また、押部材１の長片１Ｃに保持された消しゴム２の先端を消しゴムケース１３の後端より適宜突出させ、消しゴム保持装置を構成する。この実施例２の消しゴム保持装置の場合も、実施例１の消しゴム保持装置と同様に使用される。
【実施例３】
【００２１】
以下、図９に基づいて本発明における実施例３のシャープペンシルの消しゴム保持装置を説明する。尚、図１と同一の部材は同一の符号を付してその説明を省略する。先ず、合成樹脂製の押部材１１について説明する。円板状の受部１１Ａに貫通した孔を形成するとともに、受部１１Ａの両側面より隆起しかつ長手方向後方に伸びた長片１１Ｃを互いに対向して形成する。また、受部１１Ａの長片１１Ｃから連続的に長手方向前方に伸びた短片１１Ｄを互いに対向して形成する。この短片１１Ｄは長片１１Ｃより長手寸法が半分以下の短寸に形成する。更に、短片１１Ｄ及び長片１１Ｃの先端部内面に係止突起を形成する。また、短片１１Ｄ及び長片１１Ｃの先端部両側部に係合凸部１１Ｇを形成し、押部材１１を形成する。
【００２２】
次に、消しゴムケース３に前記押部材１１の長片１１Ｃを挿入し、長片１１Ｃに形成した係合凸部１１Ｇが消しゴムケース３の係合部３Ｅに係合し、消しゴムケース３に押部材１１が取り付けられる。また、押部材１１の長片１１Ｃに保持された消しゴム２の先端を消しゴムケース３の後端より適宜突出させ、消しゴム保持装置を構成する。この実施例３の消しゴム保持装置の場合も、実施例１の消しゴム保持装置と同様に使用される。
【００２３】
尚、本発明は上記実施例に限定されるものではなく、図示していないが、消しゴムケースに形成される摺動溝は２個に限らず円周方向等間隔に３個形成されても良い。この場合は押部材に形成される長片及び短片も３個形成される。また、消しゴム保持装置が設けられるシャープペンシルは従来から知られている種々のタイプのものに装着可能である。更に、消しゴムケースあるいは押部材は複数の部材を固着して一体化し構成することも可能である。
【産業上の利用可能性】
【００２４】
全長が長くならず、しかも、消しゴムの残量が少ない消しゴム保持装置に適用できる。
【符号の説明】
【００２５】
１    押部材
１Ａ    押部材１の受部
１Ｃ    押部材１の長片
１Ｄ    押部材１の短片
１Ｆ    押部材１の係合凹部
２    消しゴム
３    消しゴムケース
３Ｄ    消しゴムケース３の摺動溝
３Ｅ    消しゴムケース３の係合部
１１    押部材
１１Ａ    押部材１１の受部
１１Ｃ    押部材１１の長片
１１Ｄ    押部材１１の短片
１１Ｇ    押部材１１の係合凸部
１３    消しゴムケース
１３Ｄ    消しゴムケース１３の摺動溝
１３Ｅ    消しゴムケース１３の係合部
【図１】
2012011620.tif 000003
【図２】
2012011620.tif 000004
【図３】
2012011620.tif 000005
【図４】
2012011620.tif 000006
【図５】
2012011620.tif 000007
【図６】
2012011620.tif 000008
【図７】
2012011620.tif 000009
【図８】
2012011620.tif 000010
【図９】
2012011620.tif 000011